(57)【特許請求の範囲】
【請求項１】
キーワードと挿入用情報の入力を受ける登録内容受付部と、
前記登録内容受付部が受けた前記キーワードと前記挿入用情報を対応付けて登録して記憶する記憶部と、
ユーザからの指示に従って、前記記憶部が記憶している前記挿入用情報を編集、追加する編集部と、
原稿データの入力を受ける原稿受付部と、
前記原稿受付部が受けた原稿データ内から、前記記憶部に記憶されている前記キーワードを検出するキーワード検出部と、
前記キーワード検出部によって検出された一のキーワードに対応付けて前記記憶部に記憶されている前記挿入用情報を、前記一のキーワードに関連付けて前記原稿データ内に挿入した出力用画像を作成する出力画像作成部と、
前記出力画像作成部が作成した前記出力用画像に従って画像形成を行う画像形成部と、
前記記憶部に記憶されている前記キーワードに対応する属性情報を受け付ける属性情報受付部と、
を備え、
前記記憶部は、前記属性情報受付部が受け付けた属性情報を前記キーワードに対応付けて登録して記憶し、
前記出力画像作成部は、前記一のキーワードに対応付けて前記記憶部に記憶されている属性情報に基づいて、前記一のキーワードに対応付けて前記記憶部に記憶されている挿入用情報を、前記原稿データに挿入するか否かを切り替え、
前記属性情報は、前記一のキーワードに対応付けて前記記憶部が記憶している前記挿入用情報が編集もしくは追加された頻度を含む
ことを特徴とする画像形成装置。
【請求項２】
キーワードと挿入用情報の入力を受ける登録内容受付部と、
前記登録内容受付部が受けた前記キーワードと前記挿入用情報を対応付けて登録して記憶する記憶部と、
ユーザからの指示に従って、前記記憶部が記憶している前記挿入用情報を編集、追加する編集部と、
原稿データの入力を受ける原稿受付部と、
前記原稿受付部が受けた原稿データ内から、前記記憶部に記憶されている前記キーワードを検出するキーワード検出部と、
前記キーワード検出部によって検出された一のキーワードに対応付けて前記記憶部に記憶されている前記挿入用情報を、前記一のキーワードに関連付けて前記原稿データ内に挿入した出力用画像を作成する出力画像作成部と、
前記出力画像作成部が作成した前記出力用画像に従って画像形成を行う画像形成部と、
前記記憶部に記憶されている前記キーワードに対応する属性情報を受け付ける属性情報受付部と、
を備え、
前記記憶部は、前記属性情報受付部が受け付けた属性情報を前記キーワードに対応付けて登録して記憶し、
前記出力画像作成部は、前記一のキーワードに対応付けて前記記憶部に記憶されている属性情報に基づいて、前記一のキーワードに対応付けて前記記憶部に記憶されている挿入用情報を、前記原稿データに挿入するか否かを切り替え、
前記属性情報は、前記一のキーワードに対応付けて前記記憶部が記憶している前記挿入用情報を編集もしくは追加したユーザの人数を含む
ことを特徴とする画像形成装置。
【請求項３】
キーワードと挿入用情報の入力を受ける登録内容受付部と、
前記登録内容受付部が受けた前記キーワードと前記挿入用情報を対応付けて登録して記憶する記憶部と、
ユーザからの指示に従って、前記記憶部が記憶している前記挿入用情報を編集、追加する編集部と、
原稿データの入力を受ける原稿受付部と、
前記原稿受付部が受けた原稿データ内から、前記記憶部に記憶されている前記キーワードを検出するキーワード検出部と、
前記キーワード検出部によって検出された一のキーワードに対応付けて前記記憶部に記憶されている前記挿入用情報を、前記一のキーワードに関連付けて前記原稿データ内に挿入した出力用画像を作成する出力画像作成部と、
前記出力画像作成部が作成した前記出力用画像に従って画像形成を行う画像形成部と、
を備え、
前記出力画像作成部は、前記出力用画像の作成において挿入すべき挿入用情報の量が一定以上になる場合は、挿入用情報の挿入を制限する
ことを特徴とする画像形成装置。
【請求項４】
キーワードと挿入用情報の入力を受ける登録内容受付部と、
前記登録内容受付部が受けた前記キーワードと前記挿入用情報を対応付けて登録して記憶する記憶部と、
ユーザからの指示に従って、前記記憶部が記憶している前記挿入用情報を編集、追加する編集部と、
原稿データの入力を受ける原稿受付部と、
前記原稿受付部が受けた原稿データ内から、前記記憶部に記憶されている前記キーワードを検出するキーワード検出部と、
前記キーワード検出部によって検出された一のキーワードに対応付けて前記記憶部に記憶されている前記挿入用情報を、前記一のキーワードに関連付けて前記原稿データ内に挿入した出力用画像を作成する出力画像作成部と、
前記出力画像作成部が作成した前記出力用画像に従って画像形成を行う画像形成部と、
を備え、
前記出力画像作成部は、前記出力用画像の作成において、一のキーワードに対して挿入対象の挿入用情報が複数ある場合は、該複数のうちの、所定の選択基準で選択した一部の挿入用情報のみを挿入する
ことを特徴とする画像形成装置。
【請求項５】
キーワードと挿入用情報の入力を受ける登録内容受付部と、
前記登録内容受付部が受けた前記キーワードと前記挿入用情報を対応付けて登録して記憶する記憶部と、
ユーザからの指示に従って、前記記憶部が記憶している前記挿入用情報を編集、追加する編集部と、
原稿データの入力を受ける原稿受付部と、
前記原稿受付部が受けた原稿データ内から、前記記憶部に記憶されている前記キーワードを検出するキーワード検出部と、
前記キーワード検出部によって検出された一のキーワードに対応付けて前記記憶部に記憶されている前記挿入用情報を、前記一のキーワードに関連付けて前記原稿データ内に挿入した出力用画像を作成する出力画像作成部と、
前記出力画像作成部が作成した前記出力用画像に従って画像形成を行う画像形成部と、
を備え、
前記出力画像作成部は、前記出力用画像の作成において、一定期間内に所定回数以上挿入された実績のある挿入用情報については、挿入しない
ことを特徴とする画像形成装置。
【請求項６】
前記原稿データを入力したユーザから前記挿入に関する指定を受ける指定受付部をさらに備え、
前記出力画像作成部は、前記指定受付部が受けた前記指定に従って前記原稿データに挿入用情報を挿入するか否かを切り替える
ことを特徴とする請求項１乃至５のいずれか１つに記載の画像形成装置。
【請求項７】
前記登録内容受付部は、音声により前記入力を受け付ける
ことを特徴とする請求項１乃至６のいずれか１つに記載の画像形成装置。
【請求項８】
キーワードと挿入用情報の入力を受ける登録内容受付部と、
前記登録内容受付部が受けた前記キーワードと前記挿入用情報を対応付けて登録して記憶する記憶部と、
ユーザからの指示に従って、前記記憶部が記憶している前記挿入用情報を編集、追加する編集部と、
原稿データの入力を受ける原稿受付部と、
前記原稿受付部が受けた原稿データ内から、前記記憶部に記憶されている前記キーワードを検出するキーワード検出部と、
前記キーワード検出部によって検出された一のキーワードに対応付けて前記記憶部に記憶されている前記挿入用情報を、前記一のキーワードに関連付けて前記原稿データ内に挿入した出力用画像を作成する出力画像作成部と、
前記出力画像作成部が作成した前記出力用画像に従って画像形成を行う画像形成部と、
を備え、
前記登録内容受付部は、音声により前記入力を受け付ける
ことを特徴とする画像形成装置。
【請求項９】
前記編集部は、一のキーワードに対応付けされる一の挿入用情報の入力を受けたユーザとは別のユーザから前記一のキーワードに対応付けされる挿入用情報の編集、追加の指示を受け付ける
ことを特徴とする請求項１乃至８のいずれか１つに記載の画像形成装置。
【発明の詳細な説明】
【技術分野】
【０００１】
本発明は、印刷内容に関連する情報を挿入して印刷する画像形成装置に関する。
【背景技術】
【０００２】
一般的に、オフィスなどに設置されている画像形成装置は、１台を複数人で共有して使用されている。よって、該画像形成装置は、自分以外の他のユーザに対して情報を発信、共有するために使用される媒体としてのポテンシャルを持っていると考えられる。
【０００３】
たとえば、画像形成装置のユーザが他のユーザに対し情報発信、情報共有をできるようにすることで、ユーザの意見抽出が容易にできる、他のユーザに注意喚起、お知らせを発信できる、などの効果が期待できる。なお、画像形成装置を情報発信のために使用する方法としては、たとえば、下記特許文献１や、下記特許文献２に記載の方法がある。
【先行技術文献】
【特許文献】
【０００４】
【特許文献１】特開２０１２−２４４４２７号公報
【特許文献２】特開２００９−２２５２６３号公報
【発明の概要】
【発明が解決しようとする課題】
【０００５】
上記の特許文献１と特許文献２に記載の方法は、いずれも、印刷内容の中の特定のキーワードに応じた広告配信を前提としたシステムであるため、広告の配信元しか、その特定のキーワードに応じて挿入される内容（広告）を変更することができない。
【０００６】
よって、上記の特許文献１と特許文献２に記載の方法は、たとえば、一のユーザが作成した挿入内容を、他のユーザが修正したり、追記したりするといった場合には対応していない。
【０００７】
本発明は、上記の問題を解決しようとするものであり、原稿から検出されたキーワードに対応する情報を該原稿に挿入して印刷できると共に、挿入する情報を、ユーザ同士で作成、および編集することのできる画像形成装置を提供する事を目的とする。
【課題を解決するための手段】
【０００８】
かかる目的を達成するための本発明の要旨とするところは、次の各項の発明に存する。
【０００９】
［１］キーワードと挿入用情報の入力を受ける登録内容受付部と、
前記登録内容受付部が受けた前記キーワードと前記挿入用情報を対応付けて登録して記憶する記憶部と、
ユーザからの指示に従って、前記記憶部が記憶している前記挿入用情報を編集、追加する編集部と、
原稿データの入力を受ける原稿受付部と、
前記原稿受付部が受けた原稿データ内から、前記記憶部に記憶されている前記キーワードを検出するキーワード検出部と、
前記キーワード検出部によって検出された一のキーワードに対応付けて前記記憶部に記憶されている挿入用情報を、前記一のキーワードに関連付けて前記原稿データ内に挿入した出力用画像を作成する出力画像作成部と、
前記出力画像作成部が作成した前記出力用画像に従って画像形成を行う画像形成部と、
前記記憶部に記憶されている前記キーワードに対応する属性情報を受け付ける属性情報受付部と、
を備え、
前記記憶部は、前記属性情報受付部が受け付けた属性情報を前記キーワードに対応付けて登録して記憶し、
前記出力画像作成部は、前記一のキーワードに対応付けて前記記憶部に記憶されている属性情報に基づいて、前記一のキーワードに対応付けて前記記憶部に記憶されている挿入用情報を、前記原稿データに挿入するか否かを切り替え、
前記属性情報は、前記一のキーワードに対応付けて前記記憶部が記憶している前記挿入用情報が編集もしくは追加された頻度を含む
ことを特徴とする画像形成装置。
【００１０】
上記発明では、キーワードと挿入用情報を予め対応付けて登録しておき、原稿データを印刷する際に、原稿データの中からキーワードを検出し、その検出したキーワードに対応付けて登録されている挿入用情報を、該キーワードに関連付けて原稿データに挿入して印刷する。ユーザは、画像形成装置に対して、新規にキーワードや挿入用情報を登録できるとともに、既に登録されている挿入用情報を編集したり、既に登録されているキーワードに対して挿入用情報を追加したりできる。これにより、印刷物を介して、ユーザ同士で情報の共有や編集が可能となり、ユーザ同士で有益な情報が円滑に共有される。
【００１２】
また上記発明では、原稿データから検出した一のキーワードに対応付けて登録されている属性情報に基づいて、該一のキーワードに対応する挿入用情報を原稿データに挿入するか否かを切り替える。たとえば、特定の属性を有するキーワードに対応する挿入用情報を挿入しないように設定することで、印刷を行うユーザにとって不要と思われる挿入用情報の挿入を阻止して無駄な挿入用情報の挿入を防止する。
【００１４】
［２］キーワードと挿入用情報の入力を受ける登録内容受付部と、
前記登録内容受付部が受けた前記キーワードと前記挿入用情報を対応付けて登録して記憶する記憶部と、
ユーザからの指示に従って、前記記憶部が記憶している前記挿入用情報を編集、追加する編集部と、
原稿データの入力を受ける原稿受付部と、
前記原稿受付部が受けた原稿データ内から、前記記憶部に記憶されている前記キーワードを検出するキーワード検出部と、
前記キーワード検出部によって検出された一のキーワードに対応付けて前記記憶部に記憶されている前記挿入用情報を、前記一のキーワードに関連付けて前記原稿データ内に挿入した出力用画像を作成する出力画像作成部と、
前記出力画像作成部が作成した前記出力用画像に従って画像形成を行う画像形成部と、
前記記憶部に記憶されている前記キーワードに対応する属性情報を受け付ける属性情報受付部と、
を備え、
前記記憶部は、前記属性情報受付部が受け付けた属性情報を前記キーワードに対応付けて登録して記憶し、
前記出力画像作成部は、前記一のキーワードに対応付けて前記記憶部に記憶されている属性情報に基づいて、前記一のキーワードに対応付けて前記記憶部に記憶されている挿入用情報を、前記原稿データに挿入するか否かを切り替え、
前記属性情報は、前記一のキーワードに対応付けて前記記憶部が記憶している前記挿入用情報を編集もしくは追加したユーザの人数を含む
ことを特徴とする画像形成装置。
【００１５】
［３］キーワードと挿入用情報の入力を受ける登録内容受付部と、
前記登録内容受付部が受けた前記キーワードと前記挿入用情報を対応付けて登録して記憶する記憶部と、
ユーザからの指示に従って、前記記憶部が記憶している前記挿入用情報を編集、追加する編集部と、
原稿データの入力を受ける原稿受付部と、
前記原稿受付部が受けた原稿データ内から、前記記憶部に記憶されている前記キーワードを検出するキーワード検出部と、
前記キーワード検出部によって検出された一のキーワードに対応付けて前記記憶部に記憶されている前記挿入用情報を、前記一のキーワードに関連付けて前記原稿データ内に挿入した出力用画像を作成する出力画像作成部と、
前記出力画像作成部が作成した前記出力用画像に従って画像形成を行う画像形成部と、
を備え、
前記出力画像作成部は、前記出力用画像の作成において挿入すべき挿入用情報の量が一定以上になる場合は、挿入用情報の挿入を制限する
ことを特徴とする画像形成装置。
【００１６】
［４］キーワードと挿入用情報の入力を受ける登録内容受付部と、
前記登録内容受付部が受けた前記キーワードと前記挿入用情報を対応付けて登録して記憶する記憶部と、
ユーザからの指示に従って、前記記憶部が記憶している前記挿入用情報を編集、追加する編集部と、
原稿データの入力を受ける原稿受付部と、
前記原稿受付部が受けた原稿データ内から、前記記憶部に記憶されている前記キーワードを検出するキーワード検出部と、
前記キーワード検出部によって検出された一のキーワードに対応付けて前記記憶部に記憶されている前記挿入用情報を、前記一のキーワードに関連付けて前記原稿データ内に挿入した出力用画像を作成する出力画像作成部と、
前記出力画像作成部が作成した前記出力用画像に従って画像形成を行う画像形成部と、
を備え、
前記出力画像作成部は、前記出力用画像の作成において、一のキーワードに対して挿入対象の挿入用情報が複数ある場合は、該複数のうちの、所定の選択基準で選択した一部の挿入用情報のみを挿入する
ことを特徴とする画像形成装置。
［５］キーワードと挿入用情報の入力を受ける登録内容受付部と、
前記登録内容受付部が受けた前記キーワードと前記挿入用情報を対応付けて登録して記憶する記憶部と、
ユーザからの指示に従って、前記記憶部が記憶している前記挿入用情報を編集、追加する編集部と、
原稿データの入力を受ける原稿受付部と、
前記原稿受付部が受けた原稿データ内から、前記記憶部に記憶されている前記キーワードを検出するキーワード検出部と、
前記キーワード検出部によって検出された一のキーワードに対応付けて前記記憶部に記憶されている前記挿入用情報を、前記一のキーワードに関連付けて前記原稿データ内に挿入した出力用画像を作成する出力画像作成部と、
前記出力画像作成部が作成した前記出力用画像に従って画像形成を行う画像形成部と、
を備え、
前記出力画像作成部は、前記出力用画像の作成において、一定期間内に所定回数以上挿入された実績のある挿入用情報については、挿入しない
ことを特徴とする画像形成装置。
【００１７】
［６］前記原稿データを入力したユーザから前記挿入に関する指定を受ける指定受付部をさらに備え、
前記出力画像作成部は、前記指定受付部が受けた前記指定に従って前記原稿データに挿入用情報を挿入するか否かを切り替える
ことを特徴とする［１］乃至［５］のいずれか１つに記載の画像形成装置。
【００１８】
上記発明では、ユーザからの指定に従って、原稿データから検出したキーワードに対応する挿入用情報を原稿データに挿入するか否かを切り替える。印刷を行うユーザが挿入用情報の要否を直接指定するので、無駄な挿入用情報の挿入を防ぐことができる。
【００１９】
［７］前記登録内容受付部は、音声により前記入力を受け付ける
ことを特徴とする［１］乃至［６］のいずれか１つに記載の画像形成装置。
［８］キーワードと挿入用情報の入力を受ける登録内容受付部と、
前記登録内容受付部が受けた前記キーワードと前記挿入用情報を対応付けて登録して記憶する記憶部と、
ユーザからの指示に従って、前記記憶部が記憶している前記挿入用情報を編集、追加する編集部と、
原稿データの入力を受ける原稿受付部と、
前記原稿受付部が受けた原稿データ内から、前記記憶部に記憶されている前記キーワードを検出するキーワード検出部と、
前記キーワード検出部によって検出された一のキーワードに対応付けて前記記憶部に記憶されている前記挿入用情報を、前記一のキーワードに関連付けて前記原稿データ内に挿入した出力用画像を作成する出力画像作成部と、
前記出力画像作成部が作成した前記出力用画像に従って画像形成を行う画像形成部と、
を備え、
前記登録内容受付部は、音声により前記入力を受け付ける
ことを特徴とする画像形成装置。
【００２０】
［９］前記編集部は、一のキーワードに対応付けされる一の挿入用情報の入力を受けたユーザとは別のユーザから前記一のキーワードに対応付けされる挿入用情報の編集、追加の指示を受け付ける
ことを特徴とする［１］乃至［８］のいずれか１つに記載の画像形成装置。
【００２１】
上記発明では、記憶部に登録されている挿入用情報は、該挿入用情報を登録したユーザ以外のユーザが編集、追加を可能とする。これにより、一のユーザが登録した挿入用情報を、他のユーザが修正することができる。
【発明の効果】
【００２２】
本発明に係る画像形成装置によれば、原稿から検出されたキーワードに対応する情報を該原稿に挿入して印刷できると共に、挿入する情報を、ユーザ同士で作成、および編集することができる。
【図面の簡単な説明】
【００２３】
【図１】本発明の実施の形態に係る画像形成装置がネットワークを介してＰＣ端末と接続されている様子を示す説明図である。
【図２】本発明の実施の形態に係る画像形成装置の概略構成を示すブロック図である。
【図３】本発明の実施の形態に係る画像形成装置が、入力されたキーワードと挿入用情報等を登録する様子を示す図である。
【図４】登録された挿入用情報群をまとめた表を示す図である。
【図５】キーワードを検出し、挿入用情報を挿入する様子を示す図である。
【図６】挿入する挿入用情報を絞る様子を示す図である。
【図７】画像形成装置が印刷ジョブを実行する場合の処理を示す流れ図である。
【発明を実施するための形態】
【００２４】
以下、図面に基づき本発明の実施の形態を説明する。
【００２５】
図１は、本発明の実施の形態に係る画像形成装置１０を含む印刷システムの一例を示す。この印刷システムでは、画像形成装置１０と２台のＰＣ端末４０がＬＡＮ（Local Area Network）３を介して接続されている。
【００２６】
画像形成装置１０は、原稿を光学的に読み取ってその複製画像を記録紙に印刷する（原稿のコピー印刷物を印刷する）コピージョブ、読み取った原稿の画像データをファイルにして保存したり外部装置へ送信したりするスキャンジョブ、ＰＣ端末４０から受信した原稿データに係る画像を記録紙に印刷して出力するプリントジョブ（印刷ジョブ）などのジョブを実行する機能を備えた、所謂、複合機である。
【００２７】
ＰＣ端末４０は、文書編集ソフトや画像編集ソフトなどによって原稿データを作成し、該原稿データを含む印刷ジョブを画像形成装置１０に送信する。
【００２８】
本発明の画像形成装置１０は、ＰＣ端末４０や、後述する操作部３２（図２参照）等から、キーワードと挿入用情報の入力を受け付け、両者を対応付けて登録し、記憶する。そして、印刷ジョブを実行する場合は、該印刷ジョブの原稿データ内から、自装置に登録されているキーワードを検出し、検出したそれぞれのキーワードについて、そのキーワードに対応付けて登録されている挿入用情報を、そのキーワードに関連付けて該原稿データに挿入した出力用画像を作成し、該出力用画像に基づいて印刷する。これにより、印刷ジョブを投入するだけで、その印刷ジョブの原稿に登場するキーワードに関連する情報が自動的に挿入された印刷物を得ることができる。
【００２９】
また、画像形成装置１０では、挿入用情報を登録したユーザとは別ユーザであっても、登録されている挿入用情報の編集および追加を行うことができる。たとえば、ユーザＢが登録した挿入用情報が挿入された印刷物を確認したユーザＡが、該挿入用情報と同じキーワードに対応する新たな挿入用情報を追加したり、ユーザＢが登録した挿入用情報を訂正したり、追記したりすることができる。これにより、ユーザ同士で、情報共有や、情報交換を行うことができ、情報の循環が生じる。
【００３０】
次に、本発明の実施の形態に係る画像形成装置１０の構成について説明する。
【００３１】
図２は、本発明の実施の形態に係る画像形成装置１０の概略構成を示すブロック図である。画像形成装置１０は、当該画像形成装置１０の動作を統括的に制御するＣＰＵ(Central Processing Unit)１１を有している。ＣＰＵ１１にはバスを通じてＲＯＭ(Read Only Memory)１２と、ＲＡＭ(Random Access Memory)１３と、不揮発メモリ１４と、ハードディスク装置１５と、画像処理部１６と、スキャナ部１７と、プリンタ部１８と、ファクシミリ通信部１９と、ネットワーク通信部２０と、音声入力部２１と、操作パネル３０とを備えている。
【００３２】
ＣＰＵ１１は、ＯＳ（Operating System）プログラムをベースとし、その上で、ミドルウェアやアプリケーションプログラムなどを実行する。ＲＯＭ１２には、各種のプログラムが格納されており、これらのプログラムに従ってＣＰＵ１１が各種処理を実行することで画像形成装置１０の各機能が実現される。また、ＲＯＭ１２には、画像形成装置１０の一連の制御をＣＰＵ１１が実行するためのプログラムが格納されている。
【００３３】
ＲＡＭ１３は、ＣＰＵ１１がプログラムに基づいて処理を実行する際に各種のデータを一時的に格納するワークメモリや画像データを格納する画像メモリなどとして使用される。
【００３４】
不揮発メモリ１４は、電源をオフにしても記憶内容が破壊されないメモリ（フラッシュメモリ）であり、各種設定情報の保存などに使用される。ハードディスク装置１５は、大容量の不揮発の記憶装置であり、ＯＳプログラムや各種アプリケーションプログラム、ユーザ情報、印刷データや画像データ、ジョブに係る情報履歴、ユーザによって入力されたキーワードや、該キーワードに対応する挿入用情報などが保存される。
【００３５】
画像処理部１６は、画像の拡大縮小、回転などの処理のほか、印刷データをイメージデータに変換するラスタライズ処理、画像データの圧縮、伸張処理などを行う。
【００３６】
スキャナ部１７は、原稿を光学的に読み取って画像データを取得する機能を果たす。スキャナ部１７は、例えば、原稿に光を照射する光源と、その反射光を受けて原稿を幅方向に１ライン分読み取るラインイメージセンサと、ライン単位の読取位置を原稿の長さ方向に順次移動させる移動ユニットと、原稿からの反射光をラインイメージセンサに導いて結像させるレンズやミラーなどからなる光学経路と、ラインイメージセンサの出力するアナログ画像信号をデジタルの画像データに変換する変換部などを備えて構成される。本実施の形態では、ユーザが読み取りを行う前に原稿（読み取る対象物）を、ＡＤＦ（Auto Document Feeder）、もしくはプラテンガラスにセットする。原稿がＡＤＦにセットされた場合は、ＡＤＦによって原稿を搬送することにより、読み取る位置に対して原稿を相対移動させながら読み取って画像データを取得する。原稿がプラテンガラスにセットされた場合は、原稿をプラテンガラス上に載置した状態で読み取り、画像データを取得する。
【００３７】
プリンタ部１８は、画像データに応じた画像を記録紙上に画像形成する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。画像形成は他の方式でもかまわない。
【００３８】
ファクシミリ通信部１９は、ファクシミリ機能を備えた外部装置と公衆回線を通じて画像データを送受信する機能を果たす。
【００３９】
ネットワーク通信部２０は、ＬＡＮ３などのネットワークを通じてＰＣ端末４０やその他の外部装置との間でデータを通信する機能を果たす。
【００４０】
操作パネル３０は、表示部３１と、操作部３２とを備えている。このうち操作部３２は、スタートボタンなどのスイッチ部３３とタッチパネル部３４とを備えている。表示部３１は、液晶ディスプレイ（ＬＣＤ…Liquid Crystal Display）などで構成され、各種の操作画面、設定画面などを表示する機能を果たす。操作パネル３０が表示する表示内容の制御、操作パネル３０による操作の受け付けに関する制御はＣＰＵ１１が行う。
【００４１】
タッチパネル部３４は、表示部３１上に設けられている。タッチパネル部３４は、タッチペンや指などで押下された表示部３１上のタッチ位置（座標位置）や、フリック操作やドラッグ操作等を検出する。また、ＣＰＵ１１は、継続的に検出されるタッチ位置の変化（操作情報）から、ユーザによる手書き入力を認識する。
【００４２】
音声入力部２１は、ユーザからの音声入力を受け付ける機能を果たす。たとえば、操作部３２でのキー入力に代わって音声入力部２１が音声による入力操作を受けることができる。
【００４３】
本発明の実施の形態では、ＣＰＵ１１がプログラムを実行することで、キーワードと属性情報と挿入用情報の入力を受ける機能、これらを対応付けて自装置に登録して記憶する機能、登録している挿入用情報をユーザからの指示に従って編集、追加する機能、登録されているキーワードを原稿データから検出する機能、検出された一のキーワードに対応付けて登録されている挿入用情報を、該一のキーワードに関連付けて原稿データ内に挿入した出力用画像を作成する機能、原稿データから検出した一のキーワードに対応する挿入用情報の挿入を行うか否かを判断する機能等を果たす。詳細は後述する。
【００４４】
次に、ユーザが、キーワードと該キーワードに対応する挿入用情報等を画像形成装置１０に登録する処理について説明する。
【００４５】
図３は、画像形成装置１０が、ユーザから入力されたキーワードおよび挿入用情報を登録する様子を示す。本発明の実施の形態では、ユーザは、キーワード、挿入用情報とともに、該キーワードの属性情報（図中の共有範囲および種類）を併せて入力する。画像形成装置１０は、入力された各種の情報を互いに対応付けて登録し、ハードディスク装置１５に記憶する。
【００４６】
本発明の実施の形態では、ユーザは、画像形成装置１０の操作パネル３０にて前述の入力を行う。ＰＣ端末４０などの外部装置にて入力した内容（キーワードや挿入用情報等）を画像形成装置１０に送信してこれらの情報を画像形成装置１０に入力するようにしてもよい。なお、入力方法は、操作部３２からのキー入力に限らず、音声入力部２１からの音声入力などであってもよい。
【００４７】
図４は、前述の方法で入力されて登録されたキーワードと挿入用情報等を対応付けて登録した挿入用情報登録テーブル６０の一例を示している。挿入用情報登録テーブル６０には、各キーワードに対応付けて、属性情報と挿入用情報が登録される。属性情報には、共有範囲、種類、編集回数、編集人数などがある。図４の例では、Ａ〜Ｄの４つのキーワードが登録されている。
【００４８】
共有範囲は、たとえばキーワードに関連する部署名等が該当する。共有範囲は、該キーワードに対応付けられている挿入用情報を原稿に挿入すべきユーザの範囲（もしくは挿入すべきでないユーザの範囲）を規定する情報である。
【００４９】
種類は、意見、広告、募集等のように、キーワード（もしくはキーワードに対応付けられる挿入用情報）がどのようなジャンルの情報であるかを示す。
【００５０】
編集回数は、該キーワードに対応付けられている挿入用情報が編集、もしくは追加された回数を示す。編集人数は、キーワードに対応付けられている挿入用情報を編集、もしくは追加した人（ユーザ）の数を示す。
【００５１】
共有範囲と種類は、ユーザがキーワードを入力するときに合わせてユーザから入力される。編集回数、編集人数は、キーワードが登録されたときに画像形成装置１０が自動的に初期値を登録する。また、編集回数、編集人数は、該キーワードに対応する挿入用情報への編集や追加が行われる度に画像形成装置１０が自動で内容を更新する。
【００５２】
属性情報は、原稿データから検出した一のキーワードに対応する挿入用情報を該原稿データに挿入するか否かを切り替える際の判断基準として使用される。詳細は後述する。
【００５３】
次に、検出されたキーワードに対応する挿入用情報を挿入して印刷を行う際の処理の概略を、図５を参照しつつ説明する。まず、画像形成装置１０は、印刷ジョブが投入されたら、該印刷ジョブの原稿データの中から挿入用情報登録テーブル６０に登録されているキーワードを検出し、その位置を特定する（Ｓ１）。図中では、３つのキーワード（Ａ、Ｂ、Ｃ）がその位置と共に検出されている。
【００５４】
その後、検出したキーワードに対応する挿入用情報を、原稿データ内の該キーワードの後ろに挿入して出力用画像を作成し、その出力用画像に基づいて印刷を行う（Ｓ２）。図５では、検出された３つのキーワード（Ａ、Ｂ、Ｃ）のそれぞれの後ろにそのキーワードに対応する挿入用情報が挿入された出力用画像が作成され、印刷されている。
【００５５】
これにより、図５の印刷物を見たユーザは、原稿データの示す内容とともに、３つのキーワード（Ａ、Ｂ、Ｃ）それぞれに対応する挿入用情報を得ることができる。
【００５６】
画像形成装置１０では、ユーザ同士が、登録済みのキーワードに対応する新たな挿入用情報を追加したり、既に登録されている挿入用情報を編集したりできる。たとえば、図５の印刷物を見て、キーワードＡの挿入用情報が間違っていると判断したユーザが画像形成装置１０に登録されている該挿入用情報を修正（訂正や追記）すれば、次にキーワードＡを含む原稿データに基づく印刷を行ったユーザは、修正後の挿入用情報が挿入された印刷物を得ることができる。このようにして、印刷を行うユーザ同士で、情報共有や、情報交換を行って情報の循環を作ることができる。
【００５７】
本発明の実施の形態では、一のキーワードに複数の挿入用情報が対応付けて登録されている場合、それら複数の挿入用情報の全てを原稿データ内の該キーワードの後ろに挿入する。一のキーワードが原稿データに複数回登場する場合は、該キーワードが登場する全ての箇所に挿入用情報を挿入してもよいし、該キーワードが最初に登場する箇所のみに挿入用情報を挿入してもよい。
【００５８】
登録されている挿入用情報が編集された場合は、編集後の挿入用情報のみを挿入する。あるいは、挿入用情報に関する編集内容を保存しておき、元の挿入用情報と、該挿入用情報に関する編集内容を併せて挿入する。あるいは、元の挿入用情報と、編集後の挿入用情報の双方を挿入するようにしてもよい。
【００５９】
印刷ジョブに含まれている原稿データから図４の挿入用情報登録テーブル６０に登録されているキーワードが検出されなかった場合は、画像形成装置１０は、元の原稿データに基づく印刷を行う。
【００６０】
次に、原稿データから検出したキーワードに対応する挿入用情報を原稿データに挿入するか否かを切り替える場合について説明する。
【００６１】
原稿データに挿入用情報を挿入したとき、挿入する挿入用情報の量が多く、原稿データの元の内容が読みづらくなってしまう場合がある。たとえば、文字数の多い挿入用情報を挿入した場合や、複数の挿入用情報を挿入した場合にページ数が増え、元の原稿データの所定のページにあった内容が、次のページに移動してしまう可能性がある。
【００６２】
そこで、画像形成装置１０は、挿入予定の挿入用情報の量が一定以上になる場合は、挿入用情報の挿入を制限する。図６は、挿入予定の挿入用情報の量が閾値を超えたので、挿入量を制限した様子を示している。図６では、原稿データから、画像形成装置１０に登録されている３つのキーワード（Ａ、Ｂ、Ｃ）を検出したが、各キーワードに対応する挿入用情報を全て挿入したら挿入用情報の挿入量が閾値を超えるので、ＡとＢのキーワードに対応する挿入用情報の挿入は行わず、Ｃのキーワードに対応する挿入用情報のみを挿入した出力用画像を作成し、印刷を行っている。
【００６３】
ここでは、各挿入用情報の挿入の要否を判断し、不要と判断した挿入用情報の挿入を中止している。各挿入用情報を挿入するか否かは、たとえば、キーワードに対応付けられて登録されている属性情報に基づいて判断する。以下、属性情報に基づいて各挿入用情報を挿入するか否かを判断する場合について複数の例を挙げて説明する。
【００６４】
（例１、共有範囲で判断）
例１では、図４の挿入用情報登録テーブル６０にて、原稿データから検出した一のキーワードに対応する共有範囲の示す範囲にジョブを投入したユーザが属するか否かによって、該一のキーワードに対応する挿入用情報の挿入を行うか否かを決定する。
【００６５】
たとえば、図４の挿入用情報登録テーブル６０では、開発本部に所属するユーザが投入した印刷ジョブの原稿データにキーワードＡが含まれていたときは挿入用情報を挿入するが、それ以外の部署のユーザの印刷ジョブに対しては原稿データ内にキーワードＡが含まれていても、挿入用情報を挿入しないようにする。反対に、開発本部のユーザの時は挿入を禁止し、開発本部以外の部署のユーザの時は挿入を許可するようにしてもよい。
【００６６】
なお、共有範囲は、部署に限らず社内・社外、本社、○○支社、性別、年齢などユーザの属性で規定してもよい。複数の属性のＡＮＤやＯＲで表現されてもよい。
【００６７】
（例２、種類で判断）
例２では、図４の挿入用情報登録テーブル６０にて、原稿データから検出した一のキーワードに対応する種類が、印刷ジョブを投入したユーザが望む情報の種類であるか否かによって、該一のキーワードに対応する挿入用情報を挿入するか否かを決定する。たとえば、ユーザ毎に希望するジャンルを予め登録しておく。登録可能なジャンル数は１つでも複数でもよい。そして、原稿データに「意見」のジャンルのキーワードＡが含まれていたときであって、印刷ジョブ（原稿データ）を投入したユーザが「意見」のジャンルを希望するユーザである場合は、キーワードＡに対応する挿入用情報を挿入する。
【００６８】
（例３、編集頻度で判断）
例３では、原稿データから検出した一のキーワードに対応する挿入用情報が編集された頻度が一定以上であるか否かによって、該挿入用情報を挿入するか否かを決定する。編集の頻度は、たとえば一のキーワードに対応する挿入用情報が現在までに編集された回数の合計であってもよいし、ある期間内に編集された回数でもよいし、そのキーワードについて出力（印刷）した人数と編集された回数の比率でもよい。
【００６９】
（例４、編集人数で判断）
例４では、原稿データから検出した一のキーワードに対応する挿入用情報を編集した人数が一定以上であるか否かによって、該挿入用情報の挿入を制限するか否かを決定する。
【００７０】
前述の例１〜４では、原稿データから検出した一のキーワードに対応する挿入用情報の挿入を行うか否かを判断していたが、ユーザが属性情報（共有範囲、編集の頻度、編集した人の数、種類等）を指定し、該指定に合致するキーワードのみを原稿データから検出し、そのキーワードに対応する挿入用情報を挿入するようにしてもよい。具体例としては、ユーザが、共有範囲として部署Ａを指定すれば、共有範囲が部署Ａと設定されているキーワードのみ、原稿データから検出され、そのキーワードに対応する挿入用情報を挿入する。
【００７１】
ここまでは、１種類の属性情報のみで、各挿入用情報を挿入するか否かを判断していたが、２種類以上の属性情報の組み合わせで判断するようにしてもよい。
【００７２】
また、属性情報以外の情報に基づいて、各挿入用情報を挿入するか否かを判断してもよい。以下に複数の例を示す。
【００７３】
(例５、複数の挿入用情報がある場合に判断する)
例５では、原稿データから検出した一のキーワードに対応する挿入用情報が複数ある場合に、それらを全て挿入するのではなく、一部のみ挿入する。たとえば、登録（もしくは編集、追加）された時期が最新のものから所定数の挿入用情報のみを挿入したり、情報量が一定以上のもののみを挿入したりする。
【００７４】
（例６、挿入頻度で判断する）
例６では、ある挿入用情報が、一定期間内に何度も原稿データに挿入されて印刷されたものならば、既にその挿入用情報はユーザ同士で共有されていると判断し、以後の印刷では挿入しない。具体的には、予めユーザが推奨頻度を入力しておき、一の挿入用情報を挿入する頻度が一定以上であるか否かによって、その挿入用情報を挿入するか否かを判断する。
【００７５】
前述した例１〜６以外の方法で、挿入する挿入用情報の数を限定してもよい。前述した例１〜６や他の方法のうち、いずれの方法で各挿入用情報を挿入するか否かの判断を行うかは、予め決められていてもよいし、印刷ジョブを投入するユーザが指定してもよい。
【００７６】
これによって印刷物に、挿入用情報が過剰に挿入されることを防ぐことができる。なお、本発明の実施の形態では、挿入予定の挿入用情報の量が一定以上である場合にのみ挿入対象を制限したが、挿入予定の挿入用情報の量に係らず、挿入対象を制限してもよい。
【００７７】
図７は、画像形成装置１０が印刷ジョブを実行する場合に行う処理を示す流れ図である。まず、印刷ジョブを受け付けたら（ステップＳ１０１）、その印刷ジョブの原稿データ内からキーワードの検出を開始する（ステップＳ１０２）。
【００７８】
キーワードの検出は、挿入用情報登録テーブル６０に登録されている検出対象のキーワード毎に行う。検出対象であって、未だ検出されていないキーワードが原稿データ内にあれば（ステップＳ１０３；Ｙｅｓ）、そのキーワードに対応する挿入用情報を挿入するか否かを前述した方法で判断する（ステップＳ１０４）。
【００７９】
検出したキーワードに対応する挿入用情報を挿入すると判断した場合は（ステップＳ１０４；Ｙｅｓ）、そのキーワードに対応する挿入用情報を、そのキーワードに関連付けて原稿データ内に挿入し（ステップＳ１０５）、ステップＳ１０６に進む。
【００８０】
検出対象のキーワードが原稿データ内に無い場合は（ステップＳ１０３；Ｎｏ）、ステップＳ１０６に進む。検出したキーワードに対応する挿入用情報を挿入しないと判断した場合も（ステップＳ１０４；Ｎｏ）、ステップＳ１０６に進む。
【００８１】
ステップＳ１０６では、挿入用情報登録テーブル６０に登録されている全ての検出対象のキーワードについて、ステップＳ１０３〜ステップＳ１０５の処理が完了したか否かを判断する。全ての検出対象のキーワードについて、ステップＳ１０３〜ステップＳ１０５の処理が完了するまでは（ステップＳ１０６；Ｎｏ）ステップＳ１０３に戻って処理を継続する。
【００８２】
全ての検出対象のキーワードについて、ステップＳ１０３〜ステップＳ１０５の処理が完了したら（ステップＳ１０６；Ｙｅｓ）、出力用画像を作成する（ステップＳ１０７）。そして該出力用画像を印刷したら（ステップＳ１０８）、本処理を終了する。
【００８３】
なお、挿入用情報登録テーブル６０に登録されているキーワードが１つも検出されなかった場合や、挿入すると判断された挿入用情報が１つもなかった場合は、出力用画像を作成することなく、直接原稿データから印刷を行ってもよい。
【００８４】
次に、挿入用情報登録テーブル６０に登録されている挿入用情報を削除する場合について説明する。画像形成装置１０では、挿入用情報登録テーブル６０に登録されている挿入用情報をユーザが自由に編集したり、追加したりできるので、一のキーワードに対して、新規の挿入用情報や、既存の挿入用情報に対する編集内容が次々に登録されることになる。
【００８５】
挿入用情報や編集内容が爆発的に増えた場合は、それらの内容が、印刷ジョブを投入するユーザにとって無意味な内容（たとえば非難や中傷など）である可能性が高い。よって、画像形成装置１０は、一定期間内において新規に登録された挿入用情報や編集内容の数などから算出される編集の頻度が一定以上となった場合に、その一定期間内に登録された挿入用情報と編集内容を削除する。たとえば、１時間以内に新規に登録された挿入用情報と編集内容の数の合計が２０を越えた場合は、それらを削除する。
【００８６】
登録されてから長期間が経過した挿入用情報や編集内容は、すでにユーザ同士で情報の共有が済んだ可能性が高い。よって、画像形成装置１０は登録されてから一定期間が経過した挿入用情報や編集内容は削除する。
【００８７】
このように、画像形成装置１０は、原稿データから検出されたキーワードに対応する挿入用情報を該キーワードに関連付けて原稿データに挿入した出力用画像を作成して印刷する。また、ユーザ同士で、画像形成装置１０に対して、新規の挿入用情報を登録したり、登録済みの挿入用情報を編集したりできる。これにより、ユーザ同士で、情報の共有や編集が可能となり、情報の循環が生じる。
【００８８】
以上、本発明の実施の形態を図面によって説明してきたが、具体的な構成は実施の形態に示したものに限られるものではなく、本発明の要旨を逸脱しない範囲における変更や追加があっても本発明に含まれる。
【００８９】
本発明の実施の形態では、一のキーワードに対応する挿入用情報を、原稿データ内の該一のキーワードの後ろに挿入していたが、一のキーワードと関連付けて挿入されれば、挿入箇所は他の場所であってもよい。たとえば、キーワードの前に挿入したり、用紙の末端（空きスペース）に来るように挿入したり、キーワードの後ろに脚柱を挿入し、挿入用情報は同ページ内の下部に挿入するようにしたりしてもよい。挿入用情報は文字でなく、画像やＱＲ（Quick Response）コードであってもよい。
【００９０】
本発明の実施の形態では、印刷ジョブを実行する場合のみについて説明したが、ジョブは、コピージョブやスキャンジョブであってもよい。コピージョブ、およびスキャンジョブを実行する場合は、スキャンして得た画像（原稿データ）からＯＣＲ（Optical Character Recognition）にてキーワードの検出を行い、検出された一のキーワードに対応する挿入用画像を、該一のキーワードに関連付けて挿入した出力用画像を作成し、出力する。
【符号の説明】
【００９１】
３…ＬＡＮ
１０…画像形成装置
１１…ＣＰＵ
１２…ＲＯＭ
１３…ＲＡＭ
１４…不揮発メモリ
１５…ハードディスク装置
１６…画像処理部
１７…スキャナ部
１８…プリンタ部
１９…ファクシミリ通信部
２０…ネットワーク通信部
２１…音声入力部
３０…操作パネル
３１…表示部
３２…操作部
３３…スイッチ部
３４…タッチパネル部
４０…ＰＣ端末
６０…挿入用情報登録テーブル
【図１】
0006551680.tif 000002
【図２】
0006551680.tif 000003
【図３】
0006551680.tif 000004
【図４】
0006551680.tif 000005
【図５】
0006551680.tif 000006
【図６】
0006551680.tif 000007
【図７】
0006551680.tif 000008